(57)【要約】【目的】モールド検出軸の抜き差しによるチャック部の保持力低下を防止することを目的とするものである。【構成】  モールド検出軸が挿入しやすく確実に保持されるためにチャック口元をラッパ状にすることと、チャックスリ割り部が必要以上に広がらないようにスリ割り部外周にリングを挿入する。【選択図】  図２
2006155304.tif 000002
【特許請求の範囲】
【請求項１】
座標入力装置の座標を検出する信号検出ペンにおいて、信号検出ペン外筒内部に設けられているモールド検出軸を、保持するチャックスリ割り部の外周部分にリングが挿入され、前記チャックスリ割り部分が必要以上に広がらないようにしたことを特徴とする信号検出ペン。
【請求項２】
前記チャック部分の口元は、モールド検出軸が挿入しやすいように大口径としたことを特徴とする請求項１記載の信号検出ペン。
【発明の詳細な説明】
【技術分野】
【０００１】
本発明はタブレット入力装置に使用する信号検出ペンに関するものである。
【背景技術】
【０００２】
タブレット入力装置に使用する信号検出ペン６０を図３を用いて説明する。外部ノイズの影響を防止するため外筒６１の内部に設置されているペン制御基板６２の信号グランドは、金属等の導電体でできている前記外筒６１と、同電位となるよう外筒６１に電気的に接続する必要がある。
また、金属でできている螺旋管６３は、信号検出ペン６０を接続するタブレット入力装置本体（図示せず）に固定され、フレームグランド（図示せず）につながっている。螺旋管６３と外筒６１を直接接続すると、フレームグランドにのっているノイズが外筒６１を通してペン制御基板６２に入り込み、信号検出を不安定にさせるため、螺旋管６３と外筒６１をつなぐ役目をしている尾栓６４は、電気的に接続しないよう樹脂等の絶縁体でできている。
【０００３】
外筒６１と電気的に接続する方法には、外筒６１内部のペン制御基板６２の信号グランドからリード線（図示せず）を引き出し、外筒６１に半田付けする。または、カシメ等により機械的に接続する方法があるが、信号検出ペン６０の組み立て構造上および組み立てのしやすさを考えた場合、ペン制御基板６２の信号グランドに半田付け接続されたグランド用スプリング６５を、外筒６１内部に圧入固定してあるインサートリング６６に設置されたガイドリング６７の内壁に押し当てて接続する方法が実用的である。
【０００４】
グランド用スプリング６５をペン制御基板６２に半田付けする箇所としては、ペン制御基板６２の前側（ペン先側）に半田付けし、外筒６１と接続するために、ペン制御基板６２を外筒６１に挿入すればガイドリング６７を介して電気的に接続する。この方法は、コストも安く作業性も良いので採用している。
市場での使われ方としてペン先６８を強く押したり叩かれたりしたとき、ペン先６８が破損することがある。ペン先６８を保護するために、ペン先６８に大きな力が加わったときモールド検出軸６９が外筒６１の内部に沈み込むように尾栓６４側にクッションスプリング７０を設置した構造を採用している。
【０００５】
クッションスプリング７０は、ペン制御基板６２、ホルダー７１等をペン先６８側に常に押し当てた状態にさせ、ペン先６８にクッションスプリング７０の押し荷重以上の力が加わった場合に、ペン先６８が外筒内部に沈み込み、ペン先６８保護の役目をする。クッションスプリング７０の押し荷重は、グランド用スプリング６５の押し荷重より大きくすることにより、グランド用スプリング６５はガイドリング６７との接触を、より確実なものとしている。
【０００６】
また図示しないタブレット盤面等に、ペンタッチした時に軽い力でペン先６８が沈み込まないよう適度な力で押し当てており、ペンタッチ感触を損なわないものである。
モールド検出軸６９はチャック７２部に挿入し、その他方、先端部分遮蔽軸７３はペン制御基板６２に設けられている回路部（図示せず）に半田付けされている信号伝達用スプリング７４が挿入接触している。
【０００７】
このようにタブレット入力装置に使用する信号検出ペン６０は、タブレット盤面の座標位置信号を検出するため、ペン外筒６１先端から突出しているモールド検出軸６９を介し、座標位置信号をペン外筒６１内部に設置されているペン制御基板６２に伝えている。
信号検出ペン６０を長期間使用していると、徐々にモールド検出軸６９の先端樹脂部分が摩耗してくる。そのまま使用していると最後には、モールド検出軸６９内部の金属軸が露出し、タブレット盤面を傷つけてしまうため、信号検出ペン６０はモールド検出軸６９が交換できる構造になっている。
【特許文献１】特開２００４−１８５１５３号。
【発明の開示】
【発明が解決しようとする課題】
【０００８】
モールド検出軸６９を交換する方法として、チャック部７２外周にねじ穴を設け挿入されたモールド検出軸６９を、ねじ止めする方法が考えられるが、交換する場合はチャック部７２を含む内部構成部品を外筒６１から取り外す必要があり、この方法ではモールド検出軸６９交換毎に内部構成部品が外筒６１から一旦外されるため、その後の組み直しにより不具合が発生する危険性がある。従って、内部構成部品を外筒６１から外さずに安全にモールド検出軸６９の交換を行うために、チャック部７２に十字方向にスリ割りを入れバネ性をもたせることでモールド検出軸６９の抜き差しを可能にし、モールド検出軸６９の保持ができる構造を採用している。
【０００９】
モールド検出軸６９を挿入しやすいように、チャック部７２の口元には面取りが施されている。外筒６１先端の軸受け７５から、チャック部７２までモールド検出軸６９を案内するものがなく、チャック部７２まで真っ直ぐにモールド検出軸６９を入れられず、チャック部７２のスリ割り部を、モールド検出部６９の先端部分で押し広げながら、挿入されていくためスリ割り部に隙間ができ、モールド検出軸６９はチャック部で保持することが出来ず、抜け落ちてしまい座標信号がペン制御基板６２に伝わらないという不具合が発生していた。
【００１０】
また、信号検出ペン６０に落下衝撃を加えると、モールド検出軸６９先端の当たり方によっては、チャック部７２のスリ割り部を押し広げ、モールド検出軸６９が抜け落ちてしまうということも発生していた。
【課題を解決するための手段】
【００１１】
本発明は上記の問題点に鑑みなされたもので、座標入力装置の座標を検出する信号検出ペンにおいて、信号検出ペンを構成する外筒の内部に設けられているチャック部外周に規制用リングが挿入され、チャック部スリ割り部分が必要以上に広がらないことを第１要旨とするものであり、前記チャック部分の口元は、モールド検出軸が挿入しやすいように大口径としたことを第２要旨とするものである。
【発明の効果】
【００１２】
信号検出ペンのモールド検出軸交換時に、モールド検出軸が斜めに挿入されチャック部スリ割り部を押し広げる力が加わってもモールド検出軸を確実に保持できる。
また、モールド検出軸を繰り返し抜き差ししても、必要以上にチャックスリ割り部が広がらないので、モールド検出軸を保持する保持力の低下がない。
規制用リングは、信号検出ペンの落下衝撃によるチャック部の広がりに対しても効果がありモールド検出軸が抜け落ちることがない。
【発明を実施するための最良の形態】
【００１３】
チャック部口元は、ラッパ状にしているためモールド検出軸を真っ直ぐな状態でチャックに挿入するように働き、また、チャック部外周部に規制用リングを設け、チャックスリ割り部が必要以上に広がらないようにすることにより、モールド検出軸を確実に保持できるものである。
【実施例１】
【００１４】
以下、添付図面に基づいて説明する。
図１は、本発明の一例である座標検出装置と、座標検出用の信号検出ペンの構成図である。参照符号１は座標検出装置に使用される信号検出（座標指示）ペンであり、座標入力を行うには、信号検出ペン１の先端がタブレット２の盤面上を当接することにより、タブレット２内の各電極線と信号検出ペン１のペン軸の導体（図示せず）部分が容量結合し、タブレット２内の各電極線から伝わる各電気信号を、信号処理部で処理することで、信号検出ペン１先端のタブレット２盤面上の座標を検出する。
【００１５】
次に本発明の信号検出ペンの外筒回り及び内部の構造について説明をする。
金属等の導電材料でできている外筒１９は、樹脂等の絶縁材料でできた尾栓３がねじ込まれている。
尾栓３には、信号ケーブル保護のため螺旋管６が抜け止めリング４を介して圧入固定されている。螺旋管６は金属でできており、入力装置本体（図示せず）のフレームグランドに固定される。
【００１６】
尾栓３は、フレームグランドにのっている本体からのノイズが、外筒１９に電気的に伝わらないように絶縁材料でできている。外筒１９内部のペン制御基板８は、ホルダー１３と取り付けリング４に挟まれガイドリングに挿入されている。取り付けリング２０と抜け止めリング４の間にはクッションスプリング９が配置され、ペン制御基板８ユニット等をペン先側に常に押しつけるよう付勢している。
【００１７】
ホルダー１３内部には、金属で形成されている遮蔽軸１４が摺働できるように保持されている。遮蔽軸１４の片端面にはスリ割りの入ったチャック１５が形成されており、ペン軸２１が差し込めるようになっている。また他方、片端面は先端径が小さくなっておりペンスイッチを受け持つフォトインタラプタ２２のシャッターの役目を持っている。遮蔽軸１４に圧入されている信号伝達用スプリング１１は、ペン制御基板８にペン軸２１から信号を伝えることと、ペンスイッチ荷重を付勢させるための役目をしている。
外筒１９の先端には、ポリアセタール等の潤滑性のある樹脂材料で作られた軸受け１８が取り付けられ、ペン軸２１がスムーズに摺働するようになっている。
【００１８】
次に、本発明の詳細について説明する。
モールド検出軸２１が挿入しやすいようにチャック部１５の口元は大口径（ラッパ形状）になっており、ペン先端軸受け部よりモールド検出軸２１が斜めに挿入されても真っ直ぐになるように規制し、チャック部１５内壁に挿入しやすいようになっている。
また、チャック部１５はバネ性を持たせるため十字のスリ割り２２が施されており、その外周部には規制用リング２３が挿入されている。十字のスリ割り２２外周には、溝が形成されており規制用リング２３が軸方向にずれないようになっている。
【００１９】
規制用リング２３の内径は十字のスリ割り２２のバネ性を損なわず、モールド検出軸２１が確実に保持されるように十字のスリ割り２２の外周との間で適度な隙間を持っている。規制用リング２３が挿入されていることにより、十字のスリ割り２２の開きを押さえモールド検出軸２１の保持力低下を防ぐことができるものである。
規制用リング２３は、薄肉の金属環を想定しているが電気的に導通させる必要がないので金属である必要も無く、スリ割り部分の広がりを規制できるものであれば樹脂、ゴム系、あるいはスプリングでもよいものである。
【図面の簡単な説明】
【００２０】
【図１】容量結合式座標検出装置の構成図
【図２】本発明の要部断面図
【図３】従来の要部断面図
【符号の説明】
【００２１】
１    信号検出ペン
２    タブレット（座標盤）
３    尾栓
４    抜け止めリング
５    カシメ金具
６    螺旋管
７    信号ケーブル
８    ペン制御基板
９    クッションスプリング
１０  グランド用スプリング
１１  信号伝達用スプリング
１２  ガイドリング
１３  ホルダー
１４  遮蔽軸
１５  チャック
１６  インサートリング
１７  モールド検出軸
１８  軸受け
１９  外筒
２０  取付リング
２１  モールド検出軸
２２  十字のスリ割り
２３  規制用リング
【図１】
2006155304.tif 000003
【図２】
2006155304.tif 000004
【図３】
2006155304.tif 000005